(57)【要約】【課題】冷媒ポンプの取り外し及び再度の取り付けを容易化するべくクイックファスナを採用しつつ、接続状態の管路において相互の回転が生じにくい冷媒式冷却装置を提供することである。【解決手段】本発明は、冷媒自体の冷却を可能にする第１熱交換器と、第１熱交換器によって冷却された冷媒が通流することによって冷却対象物質の冷却を可能にする第２熱交換器と、第２熱交換器において冷却に利用された後の冷媒を一時的に貯留可能な冷媒タンクと、冷媒に駆動力を付与する冷媒ポンプと、を備える。冷媒タンクの出口部側の管路及び冷媒ポンプの入口部にそれぞれクイックファスナを介して接続される冷媒ポンプ入口配管、及び、冷媒ポンプの出口部及び第１熱交換器の入口部側の管路にそれぞれクイックファスナを介して接続される冷媒ポンプ出口配管が、少なくとも途中の１か所において３０度以上の角度で屈曲している。【選択図】図２
2019219098.tif 000002
【特許請求の範囲】
【請求項１】
冷媒自体の冷却を可能にする第１熱交換器と、
前記第１熱交換器によって冷却された前記冷媒が通流することによって冷却対象物質の冷却を可能にする第２熱交換器と、
前記第２熱交換器において冷却に利用された後の前記冷媒を一時的に貯留可能な冷媒タンクと、
前記冷媒に駆動力を付与する冷媒ポンプと、
前記第１熱交換器、前記第２熱交換器、前記冷媒タンク及び前記冷媒ポンプを当該順に接続する冷媒循環路と、
を備え、
前記冷媒循環路は、
前記冷媒タンクの出口部側の管路と前記冷媒ポンプの入口部とを接続すると共に、少なくとも途中の１か所において３０度以上の角度で屈曲している冷媒ポンプ入口配管と、
前記冷媒ポンプの出口部と前記第１熱交換機の入口部側の管路との間を接続すると共に、少なくとも途中の１か所において３０度以上の角度で屈曲している冷媒ポンプ出口配管と、
を有しており、
前記冷媒タンクの出口部側の管路と前記冷媒ポンプ入口配管とは、クイックファスナを介して取り外し可能に接続されており、
前記冷媒ポンプの入口部と前記冷媒ポンプ入口配管とは、クイックファスナを介して取り外し可能に接続されており、
前記冷媒ポンプの出口部と前記冷媒ポンプ出口配管とは、クイックファスナを介して取り外し可能に接続されており、
前記冷媒ポンプ出口配管と前記第１熱交換機の入口部側の管路とは、クイックファスナを介して取り外し可能に接続されている
ことを特徴とする冷媒式冷却装置。
【請求項２】
前記冷媒ポンプ入口配管は、少なくとも途中の１か所において９０度以上の角度で屈曲しており、
前記冷媒ポンプ出口配管も、少なくとも途中の１か所において９０度以上の角度で屈曲している
ことを特徴とする請求項１に記載の冷媒式冷却装置。
【請求項３】
前記冷媒タンクの出口部側の管路の先端領域は、外周面にＯリングを保持しており、前記冷媒ポンプ入口配管の先端領域の内面に着脱自在に差し込まれており、
前記冷媒ポンプの入口部の先端領域は、外周面にＯリングを保持しており、前記冷媒ポンプ入口配管の先端領域の内面に着脱自在に差し込まれており、
前記冷媒ポンプの出口部の先端領域は、外周面にＯリングを保持しており、前記冷媒ポンプ出口配管の先端領域の内面に着脱自在に差し込まれており、
前記第１熱交換機の入口部側の管路の先端領域は、外周面にＯリングを保持しており、前記冷媒ポンプ出口配管の管路の先端領域の内面に着脱自在に差し込まれている
ことを特徴とする請求項１または２に記載の冷媒式冷却装置。
【請求項４】
前記冷媒ポンプの入口部の管路の先端領域の内面から当該管路の開口端面に向けてＲ(アール）が設けられており、
前記冷媒ポンプの出口部の管路の先端領域の内面から当該管路の開口端面に向けてもＲ(アール）が設けられており、
前記冷媒タンクの出口部側の管路の先端領域の内面から当該管路の開口端面に向けてもＲ(アール）が設けられており、
前記第１熱交換器の入口部側の管路の先端領域の内面から当該管路の開口端面に向けてもＲ(アール）が設けられている
ことを特徴とする請求項３に記載の冷媒式冷却装置。
【請求項５】
前記第１熱交換機の入口部側の管路は、前記第１熱交換機の入口部と一体の管路である
ことを特徴とする請求項１乃至４のいずれかに記載の冷媒式冷却装置。
【請求項６】
冷媒ポンプと、
前記冷媒ポンプの入口部を他の管路と接続するための冷媒ポンプ入口配管であって、少なくとも途中の１か所において３０度以上の角度で屈曲している冷媒ポンプ入口配管と、
前記冷媒ポンプの出口部を更に他の管路と接続するための冷媒ポンプ出口配管であって、少なくとも途中の１か所において３０度以上の角度で屈曲している冷媒ポンプ出口配管と、
を備え、
前記冷媒ポンプの入口部と前記冷媒ポンプ入口配管とは、クイックファスナを介して取り外し可能に接続されており、
前記冷媒ポンプの出口部と前記冷媒ポンプ出口配管とは、クイックファスナを介して取り外し可能に接続されており、
前記他の管路と前記冷媒ポンプ入口配管とは、クイックファスナを介して取り外し可能であるように構成されており、
前記更に他の管路と前記冷媒ポンプ出口配管とは、クイックファスナを介して取り外し可能であるように構成されている
ことを特徴とする冷媒ポンプユニット。
【請求項７】
前記冷媒ポンプ入口配管は、少なくとも途中の１か所において９０度以上の角度で屈曲しており、
前記冷媒ポンプ出口配管も、少なくとも途中の１か所において９０度以上の角度で屈曲している
ことを特徴とする請求項６に記載の冷媒ポンプユニット。
【請求項８】
前記冷媒ポンプの入口部の先端領域は、外周面にＯリングを保持しており、前記冷媒ポンプ入口配管の先端領域の内面に着脱自在に差し込まれており、
前記冷媒ポンプの出口部の先端領域は、外周面にＯリングを保持しており、前記冷媒ポンプ出口配管の先端領域の内面に着脱自在に差し込まれている
ことを特徴とする請求項６または７に記載の冷媒ポンプユニット。
【発明の詳細な説明】
【技術分野】
【０００１】
本発明は、冷媒を用いて冷却対象物質を冷却する冷媒式冷却装置に関する。
【背景技術】
【０００２】
冷媒式冷却装置は、一般に、冷媒自体の冷却を可能にする第１熱交換器と、前記第１熱交換器によって冷却された前記冷媒が通流することによって冷却対象物質の冷却を可能にする第２熱交換器と、前記第２熱交換器において冷却に利用された後の前記冷媒を一時的に貯留可能な冷媒タンクと、前記冷媒に駆動力を付与する冷媒ポンプと、前記第１熱交換器、前記第２熱交換器、前記冷媒タンク及び前記冷媒ポンプを当該順に接続する冷媒循環路と、を備えている。
【０００３】
冷媒式冷却装置の基本構成は、例えば特許文献１及び特許文献２等に開示されており、従来より知られている。
【先行技術文献】
【特許文献】
【０００４】
【特許文献１】特開２００１−０７７５７１
【特許文献２】特開２００２−０２２３３７
【特許文献３】特開２０１４−１６３６５４
【発明の概要】
【発明が解決しようとする課題】
【０００５】
従来の冷媒式冷却装置の冷媒循環路においては、第１熱交換器、第２熱交換器、冷媒タンク及び冷媒ポンプの各々に対して、管路要素はネジ込みによって結合されている。
【０００６】
一方、冷媒式冷却装置の用途によっては、冷媒ポンプのみを他の要素から取り外してメンテナンスすることが比較的高頻度に必要である。
【０００７】
本件発明者は、各管路要素がネジ込みによって結合されている従来の構造に対して、冷媒ポンプの取り外し及び再度の取り付けを容易化できないか、検討を重ねてきた。
【０００８】
そして、本件発明者は、クイックファスナと呼ばれる結合具に着目して、これを上手く採用できないか、検討を重ねてきた。
【０００９】
クイックファスナとは、２つの管端に跨るように配置されて、通常時にはその弾性力によって当該管端同士を保持するが、着脱作業時には当該弾性力に対向する解放力を付与することで容易に拡径するクリップ部材である。各管の先端領域には互いに当接するフランジが設けられ、クイックファスナの方には当該フランジが貫通するためのスリットが設けられて、当該フランジとスリットとの嵌合によっても管端同士が保持される。
【００１０】
クイックファスナの構成例について、図７を示す。図７は、先行技術文献である特許文献３の図３に相当する図である。
【００１１】
図７に示すように、一方側の管路１０１の先端領域が、外周面にＯリング１０２を保持した状態で、他方側の管路１０３の先端領域の内面に着脱自在に差し込まれるようになっている。そして、一方側の管路１０１の先端領域のフランジ１０５と他方側の管路１０３の先端領域のフランジ１０６とが互いに当接した状態で、クイックファスナ１０７のスリット１０８に嵌合されるようになっている。
【００１２】
以上のようなクイックファスナの構成及び作用は、後述する本発明のクイックファスナにおいても共通である。
【００１３】
また、以上のようなクイックファスナは、Ｏリング１０２によるシール機能が失われない範囲での管路１０１、１０３の相対移動を許容するため、軽微な振動を効果的に吸収することができるという利点もある。
【００１４】
しかしながら、管路１０１、１０３の相対移動が可能であるという前記利点は、管路が直線状あるいは直線に近い形状である場合には、当該管路の接続状態においても当該管路が常時回転できることとなり、Ｏリング１０２のシール機能の寿命を著しく短縮させる可能性があることが知見された。
【００１５】
本発明は、以上の知見に基づいて創案されたものである。本発明の目的は、冷媒ポンプの取り外し及び再度の取り付けを容易化するべくクイックファスナを採用しつつ、接続状態の管路において相互の回転が生じにくい冷媒式冷却装置を提供することである。
【課題を解決するための手段】
【００１６】
本発明は、冷媒自体の冷却を可能にする第１熱交換器と、前記第１熱交換器によって冷却された前記冷媒が通流することによって冷却対象物質の冷却を可能にする第２熱交換器と、前記第２熱交換器において冷却に利用された後の前記冷媒を一時的に貯留可能な冷媒タンクと、前記冷媒に駆動力を付与する冷媒ポンプと、前記第１熱交換器、前記第２熱交換器、前記冷媒タンク及び前記冷媒ポンプを当該順に接続する冷媒循環路と、を備え、前記冷媒循環路は、前記冷媒タンクの出口部側の管路と前記冷媒ポンプの入口部とを接続すると共に、少なくとも途中の１か所において３０度以上の角度で屈曲している冷媒ポンプ入口配管と、前記冷媒ポンプの出口部と前記第１熱交換機の入口部側の管路との間を接続すると共に、少なくとも途中の１か所において３０度以上の角度で屈曲している冷媒ポンプ出口配管と、を有しており、前記冷媒タンクの出口部側の管路と前記冷媒ポンプ入口配管とは、クイックファスナを介して取り外し可能に接続されており、前記冷媒ポンプの入口部と前記冷媒ポンプ入口配管とは、クイックファスナを介して取り外し可能に接続されており、前記冷媒ポンプの出口部と前記冷媒ポンプ出口配管とは、クイックファスナを介して取り外し可能に接続されており、前記冷媒ポンプ出口配管と前記第１熱交換機の入口部側の管路とは、クイックファスナを介して取り外し可能に接続されていることを特徴とする冷媒式冷却装置である。
【００１７】
本発明によれば、冷媒ポンプ入口配管及び冷媒ポンプ出口配管の各々と冷媒ポンプとの接続にそれぞれクイックファスナを採用し、且つ、冷媒タンクの出口部側の管路と冷媒ポンプ入口配管との接続、及び、冷媒ポンプ出口配管と第１熱交換機の入口部側の管路との接続についても、それぞれクイックファスナを採用したことにより、これらの各接続の解除（取り外し）ないし再接続（再度の取り付け）が容易である。
【００１８】
そして、本発明によれば、冷媒ポンプ入口配管が少なくとも途中の１か所において３０度以上の角度で屈曲していることにより、当該冷媒ポンプ入口配管が冷媒タンクの出口部側の管路及び冷媒ポンプに接続された状態において、当該冷媒ポンプ入口配管が無意味に回転して内部のシール機構（典型的にはＯリング）が無駄に摩耗してしまうことが効果的に抑制される。同様に、冷媒ポンプ出口配管が少なくとも途中の１か所において３０度以上の角度で屈曲していることにより、当該冷媒ポンプ出口配管が冷媒ポンプ及び第１熱交換機の入口部側の管路に接続された状態において、当該冷媒ポンプ出口配管が無意味に回転して内部のシール機構（典型的にはＯリング）が無駄に摩耗してしまうことが効果的に抑制される。
【００１９】
無意味な回転を抑制するという観点では、前記冷媒ポンプ入口配管は、少なくとも途中の１か所において９０度以上の角度で屈曲していることが好ましく、前記冷媒ポンプ出口配管についても、少なくとも途中の１か所において９０度以上の角度で屈曲していることが好ましい。
【００２０】
また、接続の具体的構成としては、図７を用いて説明したように、例えば、前記冷媒タンクの出口部側の管路の先端領域は、外周面にＯリングを保持しており、前記冷媒ポンプ入口配管の先端領域の内面に着脱自在に差し込まれており、前記冷媒ポンプの入口部の先端領域は、外周面にＯリングを保持しており、前記冷媒ポンプ入口配管の先端領域の内面に着脱自在に差し込まれており、前記冷媒ポンプの出口部の先端領域は、外周面にＯリングを保持しており、前記冷媒ポンプ出口配管の先端領域の内面に着脱自在に差し込まれており、前記第１熱交換機の入口部側の管路の先端領域は、外周面にＯリングを保持しており、前記冷媒ポンプ出口配管の管路の先端領域の内面に着脱自在に差し込まれている。
【００２１】
この構成において、本件発明者は、前記冷媒ポンプの入口部の管路の先端領域の内面から当該管路の開口端面に向けてＲ(アール）が設けられていることが好ましく、前記冷媒ポンプの出口部の管路の先端領域の内面から当該管路の開口端面に向けてもＲ(アール）が設けられていることが好ましく、前記冷媒タンクの出口部側の管路の先端領域の内面から当該管路の開口端面に向けてもＲ(アール）が設けられていることが好ましく、同様に、前記第１熱交換器の入口部側の管路の先端領域の内面から当該管路の開口端面に向けてもＲ(アール）が設けられていることが好ましいことを知見した。
【００２２】
これによれば、冷媒ポンプ入口配管及び／または冷媒ポンプ出口配管の取り外し時及び／または再度の取り付け時において、不所望にＯリングを損傷させるリスクを効果的に低減することができる。
【００２３】
なお、前記冷媒タンクの出口部側の管路は、前記冷媒タンクの出口部と一体の管路であってもよいし、前記冷媒タンクの出口部に接続され当該出口部とは別体の管路であってもよい。
【００２４】
同様に、前記第１熱交換機の入口部側の管路は、前記第１熱交換機の入口部と一体の管路であってもよいし、前記第１熱交換機の入口部に接続され当該入口部とは別体の管路であってもよい。
【００２５】
また、本発明は、冷媒ポンプと、前記冷媒ポンプの入口部を他の管路と接続するための冷媒ポンプ入口配管であって、少なくとも途中の１か所において３０度以上の角度で屈曲している冷媒ポンプ入口配管と、前記冷媒ポンプの出口部を更に他の管路と接続するための冷媒ポンプ出口配管であって、少なくとも途中の１か所において３０度以上の角度で屈曲している冷媒ポンプ出口配管と、を備え、前記冷媒ポンプの入口部と前記冷媒ポンプ入口配管とは、クイックファスナを介して取り外し可能に接続されており、前記冷媒ポンプの出口部と前記冷媒ポンプ出口配管とは、クイックファスナを介して取り外し可能に接続されており、前記他の管路と前記冷媒ポンプ入口配管とは、クイックファスナを介して取り外し可能であるように構成されており、前記更に他の管路と前記冷媒ポンプ出口配管とは、クイックファスナを介して取り外し可能であるように構成されていることを特徴とする冷媒ポンプユニットである。
【００２６】
本発明によれば、冷媒ポンプ入口配管及び冷媒ポンプ出口配管の各々と冷媒ポンプとの接続にそれぞれクイックファスナを採用し、且つ、他の管路と冷媒ポンプ入口配管との接続、及び、冷媒ポンプ出口配管と更に他の管路との接続についても、それぞれクイックファスナを採用可能としたことにより、これらの各接続の解除（取り外し）ないし再接続（再度の取り付け）が容易である。
【００２７】
そして、本発明によれば、冷媒ポンプ入口配管が少なくとも途中の１か所において３０度以上の角度で屈曲していることにより、当該冷媒ポンプ入口配管が他の管路及び冷媒ポンプに接続された状態において、当該冷媒ポンプ入口配管が無意味に回転して内部のシール機構（典型的にはＯリング）が無駄に摩耗してしまうことが効果的に抑制される。同様に、冷媒ポンプ出口配管が少なくとも途中の１か所において３０度以上の角度で屈曲していることにより、当該冷媒ポンプ出口配管が冷媒ポンプ及び更に他の管路に接続された状態において、当該冷媒ポンプ出口配管が無意味に回転して内部のシール機構（典型的にはＯリング）が無駄に摩耗してしまうことが効果的に抑制される。
【発明の効果】
【００２８】
本発明の冷媒式冷却装置によれば、冷媒ポンプ入口配管及び冷媒ポンプ出口配管の各々と冷媒ポンプとの接続にそれぞれクイックファスナを採用し、且つ、冷媒タンクの出口部側の管路と冷媒ポンプ入口配管との接続、及び、冷媒ポンプ出口配管と第１熱交換器の入口部側の管路との接続についても、それぞれクイックファスナを採用したことにより、これらの各接続の解除（取り外し）ないし再接続（再度の取り付け）が容易である。
【００２９】
そして、本発明の冷媒式冷却装置によれば、冷媒ポンプ入口配管が少なくとも途中の１か所において３０度以上の角度で屈曲していることにより、当該冷媒ポンプ入口配管が冷媒タンクの出口部側の管路及び冷媒ポンプに接続された状態において、当該冷媒ポンプ入口配管が無意味に回転して内部のシール機構（典型的にはＯリング）が無駄に摩耗してしまうことが効果的に抑制される。同様に、冷媒ポンプ出口配管が少なくとも途中の１か所において３０度以上の角度で屈曲していることにより、当該冷媒ポンプ出口配管が冷媒ポンプ及び第１熱交換器の入口部側の管路に接続された状態において、当該冷媒ポンプ出口配管が無意味に回転して内部のシール機構（典型的にはＯリング）が無駄に摩耗してしまうことが効果的に抑制される。
【００３０】
また、本発明の冷媒ポンプユニットによれば、冷媒ポンプ入口配管及び冷媒ポンプ出口配管の各々と冷媒ポンプとの接続にそれぞれクイックファスナを採用し、且つ、他の管路と冷媒ポンプ入口配管との接続、及び、冷媒ポンプ出口配管と更に他の管路との接続についても、それぞれクイックファスナを採用可能としたことにより、これらの各接続の解除（取り外し）ないし再接続（再度の取り付け）が容易である。
【００３１】
そして、本発明の冷媒ポンプユニットによれば、冷媒ポンプ入口配管が少なくとも途中の１か所において３０度以上の角度で屈曲していることにより、当該冷媒ポンプ入口配管が他の管路及び冷媒ポンプに接続された状態において、当該冷媒ポンプ入口配管が無意味に回転して内部のシール機構（典型的にはＯリング）が無駄に摩耗してしまうことが効果的に抑制される。同様に、冷媒ポンプ出口配管が少なくとも途中の１か所において３０度以上の角度で屈曲していることにより、当該冷媒ポンプ出口配管が冷媒ポンプ及び更に他の管路に接続された状態において、当該冷媒ポンプ出口配管が無意味に回転して内部のシール機構（典型的にはＯリング）が無駄に摩耗してしまうことが効果的に抑制される。
【図面の簡単な説明】
【００３２】
【図１】本発明の一実施形態に係る冷媒式冷却装置の系統図である。
【図２】本発明の一実施形態に係る冷媒式冷却装置の冷媒ポンプユニットを示す前方から見た斜視図である。
【図３】図２の冷媒ポンプユニットを示す後方から見た斜視図である。
【図４】図２及び図３の冷媒ポンプユニットを示す正面図である。
【図５】図２乃至図４の冷媒ポンプユニットを示す側面図である。
【図６】冷媒ポンプの入口部の管路の先端領域の内面から当該管路の開口端面に向けて設けられたＲ(アール）について示す断面図である。
【図７】従来のクイックファスナの構成及び利用態様を示す概略図である。
【発明を実施するための形態】
【００３３】
以下、図面を参照して本発明の実施の形態について説明する。  
【００３４】
図１は、本発明の一実施形態に係る冷媒式冷却装置の系統図である。
【００３５】
図１に示すように、本実施形態に係る冷媒式冷却装置１０は、冷媒自体の冷却を可能にする第１熱交換器１１と、第１熱交換器１１によって冷却された冷媒が通流することによって冷却対象物質の冷却を可能にする第２熱交換器１２と、第２熱交換器１２において冷却に利用された後の前記冷媒を一時的に貯留可能な冷媒タンク１３と、冷媒に駆動力を付与する冷媒ポンプ１４と、を備えている。
【００３６】
管路要素２１〜２９と冷媒ポンプ入口配管３１と冷媒ポンプ出口配管３３と中間配管３５とが、第１熱交換器１１、第２熱交換器１２、冷媒タンク１３及び冷媒ポンプ１４を当該順に接続する冷媒循環路を形成している。
【００３７】
管路要素２１〜２９の各々の両端は、対応する要素部材に対して、従来同様にネジ込みによって接続されている。
【００３８】
一方、冷媒ポンプ入口配管３１及び冷媒ポンプ出口配管３３の各々の両端は、対応する要素部材に対して、クイックファスナ４１〜４４によって接続されている。
【００３９】
図２は、本実施形態に係る冷媒式冷却装置１０の冷媒ポンプユニット３０を示す前方から見た斜視図であり、図３は、冷媒ポンプユニット３０を示す後方から見た斜視図であり、図４は、冷媒ポンプユニット３０を示す正面図であり、図５は、冷媒ポンプユニット３０を示す側面図である。冷媒ポンプ１４、冷媒ポンプ入口配管３１、冷媒ポンプ出口配管３３、中間配管３５及びクイックファスナ４１〜４４によって、冷媒ポンプユニット３０が構成されている。
【００４０】
図２乃至図５に示すように、冷媒ポンプ入口配管３１は、水平面に平行な冷媒ポンプ１４の入口部の管路１４ａの側から、領域Ａで水平面内で１８０度屈曲し（Ｕ字状に折り返し）、領域Ｂで約９０度屈曲して上方（僅かに傾斜している：図４参照）へと立ち上がり、領域Ｃで約９０度屈曲して再び水平面に平行に延び、領域Ｄで９０度屈曲して再び上方へと立ち上がっている。
【００４１】
一方、冷媒ポンプ出口配管３３は、鉛直上向きの冷媒ポンプ１４の出口部の管路１４ｂの側から、領域Ｅで３０度屈曲し、領域Ｆで約９０度屈曲して水平面に平行に延びている。
【００４２】
冷媒ポンプユニット３０の状態でも、冷媒ポンプ１４の入口部の管路１４ａと冷媒ポンプ入口配管３１とは、クイックファスナ４１を介して取り外し可能に接続されており、冷媒ポンプ１４の出口部の管路１４ｂと冷媒ポンプ出口配管３３とは、クイックファスナ４３を介して取り外し可能に接続されている。
【００４３】
一方、冷媒ポンプユニット３０の状態で、冷媒ポンプ入口配管３１は、図２乃至図５においては不図示の冷媒タンク１３の出口部側の管路（ドレインへの分岐部の更に下流側：図１参照）と、クイックファスナ４２を介して取り外し可能であるように構成されているが、冷媒ポンプ出口配管３３は、第１熱交換器の入口部側の管路としての中間配管３５と、クイックファスナ４４を介して取り外し可能に接続されており、当該中間配管は、第１熱交換器の入口部にネジ込みによって結合されるようになっている。
【００４４】
更に、図６は、冷媒ポンプ１４の入口部の管路１４ａの先端領域の内面１４ｉから当該管路１４ａの開口端面１４ｅに向けて設けられたＲ(アール）１４ｒについて示す断面図である。同様に、冷媒ポンプ１４の出口部の管路１４ｂの先端領域の内面１４ｉから当該管路１４ｂの開口端面１４ｅに向けても、Ｒ(アール）１４ｒが設けられている。
【００４５】
また、図示は省略するが、冷媒タンク１３の出口部側の管路の先端領域の内面から当該管路の開口端面に向けても、同様のＲ(アール）が設けられている。また、第１熱交換器１１の入口部側の中間配管３５の先端領域の内面から当該管路の開口端面に向けても、同様のＲ(アール）が設けられている。
【００４６】
また、図６に示すように、冷媒ポンプ入口配管３１の先端領域は、外周面にＯリング５１を保持した状態で、相手側の冷媒ポンプ１４の入口部の管路１４ａ（または冷媒タンク１３の出口部側の管路）の先端領域の内面に着脱自在に差し込まれるようになっている。そして、冷媒ポンプ入口配管３１のフランジ５５と相手側の管路の先端領域のフランジ５６とが互いに当接した状態で、クイックファスナ４１（４２）のスリットに嵌合されるようになっている。
【００４７】
同様に、冷媒ポンプ出口配管３３の先端領域も、外周面にＯリングを保持した状態で、相手側の冷媒ポンプ１４の出口部の管路１４ｂ（または第１熱交換器１１の入口部の管路）の先端領域の内面に着脱自在に差し込まれるようになっている。そして、冷媒ポンプ出口配管３３のフランジと相手側の管路の先端領域のフランジとが互いに当接した状態で、クイックファスナ４３（４４）のスリットに嵌合されるようになっている。
【００４８】
以上のような本実施形態によれば、冷媒ポンプ入口配管３１及び冷媒ポンプ出口配管３３の各々と冷媒ポンプ１４との接続にそれぞれクイックファスナ４１、４３を採用し、且つ、冷媒タンク１３の出口部側の管路と冷媒ポンプ入口配管３１との接続、及び、冷媒ポンプ出口配管３３と第１熱交換器１１の入口部側の管路との接続についても、それぞれクイックファスナ４２、４４を採用することにより、これらの各接続の解除（取り外し）ないし再接続（再度の取り付け）が容易である。
【００４９】
また、本実施形態によれば、冷媒ポンプ入口配管３１が少なくとも途中の１か所において３０度以上の角度で屈曲していることにより、当該冷媒ポンプ入口配管３１が冷媒タンク１３の出口部側の管路及び冷媒ポンプ１４に接続された状態において、当該冷媒ポンプ入口配管３１が無意味に回転して内部のシール機構であるＯリング５１が無駄に摩耗してしまうことが効果的に抑制される。同様に、冷媒ポンプ出口配管３３が少なくとも途中の１か所において３０度以上の角度で屈曲していることにより、当該冷媒ポンプ出口配管３３が冷媒ポンプ１４及び第１熱交換器１１の入口部側の管路に接続された状態において、当該冷媒ポンプ出口配管３３が無意味に回転して内部のシール機構であるＯリングが無駄に摩耗してしまうことが効果的に抑制される。
【００５０】
また、本実施形態によれば、冷媒ポンプ１４の入口部の管路１４ａの先端領域の内面１４ｉから当該管路１４ａの開口端面１４ｅに向けてＲ(アール）１４ｒが設けられており、冷媒ポンプ１４の出口部の管路１４ｂの先端領域の内面１４ｉから当該管路１４ｂの開口端面１４ｅに向けてもＲ(アール）１４ｒが設けられており、冷媒タンク１３の出口部側の管路の先端領域の内面から当該管路の開口端面に向けても同様のＲ(アール）が設けられており、第１熱交換器１１の入口部側の中間配管３５の先端領域の内面から当該配管の開口端面に向けても同様のＲ(アール）が設けられていることにより、冷媒ポンプ入口配管３１及び／または冷媒ポンプ出口配管３３の取り外し時及び／または再度の取り付け時において、不所望にＯリング５１を損傷させるリスクを効果的に低減することができる。
【符号の説明】
【００５１】
１０            冷媒式冷却装置
１１            第１熱交換器
１２            第２熱交換器
１３            冷媒タンク
１４            冷媒ポンプ
１４ａ          入口部の管路
１４ｂ          出口部の管路
１４ｉ          内面
１４ｅ          開口端面
１４ｒ          Ｒ(アール）
２１〜２９      管路要素（ネジ込み式）
３１            冷媒ポンプ入口配管
３３            冷媒ポンプ出口配管
３５            中間配管
４１〜４４      クイックファスナ
５１            Ｏリング
５５、５６      フランジ
１０１、１０３  管路
１０２          Ｏリング
１０５、１０６  フランジ
１０７          クイックファスナ
１０８          スリット  
【図１】
2019219098.tif 000003
【図２】
2019219098.tif 000004
【図３】
2019219098.tif 000005
【図４】
2019219098.tif 000006
【図５】
2019219098.tif 000007
【図６】
2019219098.tif 000008
【図７】
2019219098.tif 000009